(57)【特許請求の範囲】
【請求項１】
混合弁を内蔵した水栓本体部とレバーハンドルとを備え、該水栓本体部の軸線方向において該レバーハンドルを該水栓本体部の基端から離れる方向の開方向に操作することにより吐水開始及び吐水流量の増大を、前記水栓本体部の基端に向う方向の閉方向に操作することにより吐水流量の減少及び止水を行い、また前記軸線回りに回動操作することにより吐水の温度調節を行うシングルレバー混合水栓において、
(ａ)前記水栓本体部と前記レバーハンドルの基部の内側との一方に設けられ、湯側から水側に前記軸線方向の高さを徐々に低くして、前記レバーハンドルを湯のみ吐水する回動操作位置から水のみ吐水する回動操作位置に向けて且つ閉方向にガイドするガイド面と、
(ｂ)他方に設けられ、該ガイド面に対して前記軸線方向に当接する当接部と、
を有し、前記レバーハンドルの閉方向の操作で、該レバーハンドル側の当接部又はガイド面を、前記水栓本体部側のガイド面又は当接部に対して該レバーハンドルの閉方向に当て、引き続く該レバーハンドルの閉方向の操作で該当接部を該ガイド面に沿って相対移動させることで、該レバーハンドルを前記水のみ吐水する回動操作位置に且つ止水位置に到らしめるガイド機構を設けたことを特徴とするシングルレバー混合水栓。
【請求項２】
請求項１において、前記当接部には転動体が設けてあり、該転動体を転動させながら前記当接部が前記ガイド面に沿って移動するようになしてあることを特徴とするシングルレバー混合水栓。
【請求項３】
請求項１，２の何れかにおいて、前記当接部が前記レバーハンドルにおける前記基部の内側に、前記ガイド面が、湯側から水側に向けて高さが徐々に低くなり、前記レバーハンドルにおける前記水のみ吐水する回動操作位置に対応する位置で最も低くなる形状で前記水栓本体部の上部の位置に設けてあることを特徴とするシングルレバー混合水栓。
【請求項４】
請求項１〜３の何れかにおいて、前記水栓本体部側のガイド面又は当接部が、該水栓本体部の本体ボデーに組み付けられた化粧カバーに設けられており、該化粧カバーが、該本体ボデーに対して位置決め機構により前記軸線回りに位置決めされていることを特徴とするシングルレバー混合水栓。
【発明の詳細な説明】
【技術分野】
【０００１】
この発明はシングルレバー混合水栓に関し、詳しくは節湯のための技術手段に特徴を有するものに関する。
【背景技術】
【０００２】
混合弁を内蔵した水栓本体部とレバーハンドルとを備え、水栓本体部の軸線方向においてレバーハンドルを水栓本体部の基端から離れる方向の開方向に操作することにより吐水開始及び吐水流量の増大を、水栓本体部の基端に向う方向の閉方向に操作することにより吐水流量の減少及び止水を行い、また上記の軸線回りに回動操作することにより吐水の温度調節を行うシングルレバー混合水栓が従来から広く用いられている。
【０００３】
一般にこの種のシングルレバー混合水栓は、水栓本体部が、詳しくは水栓本体部の軸線方向が上下向きとなるように設置され、レバーハンドルを上方向（水栓本体部の基端から離れる方向）の開方向に操作することで吐水開始及び吐水流量の増大を行い、下方向（水栓本体部の基端に向う方向）の閉方向に操作することで吐水流量の減少及び止水を行う。
また上記の軸線回りの左右方向に回動操作することで吐水の温度調節を行う（以下では水栓本体部が上下向きに設置されたシングルレバー混合水栓を代表として述べる）。
【０００４】
この種の従来のシングルレバー混合水栓では、レバーハンドル（詳しくはレバーハンドルにおけるレバー部）が使用者にとって最も使い易い正面位置にある状態、即ち使用者に対してレバーハンドルが正対する位置が、左右方向の回動範囲の丁度中央位置となる。
従ってこの状態で使用者がレバーハンドルを止水位置から無意識に開操作すると（通常使用者は水栓の使い始めのときにそのままレバーハンドルを開操作する）、先ず混合水が吐水される。
使用者が本来水を使用したいと思っていたときには、その状態からレバーハンドルを使用者から見て右方向に回動操作し、レバーハンドルを水のみ吐水する位置に持ち来すこととなる。
この場合、実際には使用者が水を出したいと思っていたにも拘らず、使用者の意思とは無関係に先ず混合水、つまり水に加えて湯が吐水されてしまい、湯が無駄に使用されてしまう。
【０００５】
下記特許文献１には、このような問題の解決を狙いとして、可動弁体の開口部の形状を平面視略く字状とすることで、レバーハンドルが正面位置、即ち使用者に正対した位置で開操作したときに水のみ吐水されるようになしたシングルレバー混合水栓が開示されている。
【０００６】
また下記特許文献２にも、同様の目的の下で、固定弁体の水流入弁孔の口部を湯流入弁孔側に拡大し、湯流入弁孔の口部を小さくして、レバーハンドルが正面位置にある状態でこれを開操作したときに水のみ吐水するようになしたシングルレバー混合水栓が開示されている。
【０００７】
しかしながらこれら特許文献１，特許文献２に開示のシングルレバー混合水栓では、レバーハンドルが左右方向の全回動範囲のどの位置にあっても、そのままこれを止水操作可能、例えば高温の湯のみを吐水する状態でもそのままレバーハンドルを止水操作可能であり、次に使用者がそのまま止水位置のレバーハンドルを開操作すると、湯（湯のみ）或いは混合水が吐水されてしまい、節湯の点で未だ不十分である。
【０００８】
一方下記特許文献３には、シングルレバー混合水栓ではレバーハンドルが自由に回転できるために、中温度の湯を中吐水量で吐水させるためのレバーハンドルの位置が分からないことを解決課題として、レバーハンドルの基部の半円形の内周面に円弧状且つリブ状の第１のライン（突条）、及びこれと直交する短めの第２のラインを設ける一方、水栓本体部側の上部に、上記半円形の内周面に向って先端部が突出するストッパ装置を設け、使用者が第１のラインをストッパ装置の先端に当てがうようにレバーハンドルを上側に持ち上げながら湯側に回動操作することで、レバーハンドルを、中温度の湯を中吐水する位置に誘導するようになした点が開示されている。
【０００９】
この特許文献３に開示のものではまた、高温度の湯を吐水した後そのままレバーハンドルを下げて止水すると、次の使用時にレバーハンドルを上げて吐水した際に高温の湯が吐水されて火傷することを解決課題とし、高温度の湯を大吐水量で吐出する状態から、使用者が第１ラインをストッパ装置の先端に当てがうようにレバーハンドルを上側に持ち上げながら低温側に回動操作することで、レバーハンドルを止水位置に誘導するようになした点が併せて開示されている。
【００１０】
しかしながらこの特許文献３に開示のシングルレバー混合水栓では、使用者がレバーハンドルを意識して上向きに持ち上げながら、即ち第１のラインをストッパ装置の先端に上向きに当てがいながら左右方向に回動操作し同時に上下に回動操作しない限り、レバーハンドルが自由に回動してしまい、レバーハンドルが高温の湯を吐水する左右方向位置（回動操作位置）の下でそのまま止水位置まで閉操作されてしまい、節湯を図ることができない（そもそもこの特許文献３に開示のものは節湯を目的としたものではない）。
【００１１】
以上水栓本体部が縦向き即ち上下向きで設置されるシングルレバー混合水栓について述べたが、シングルレバー混合水栓には、水栓本体部が横向き即ち水平ないしほぼ水平向きで設置されるものがあり、この横向きのシングルレバー混合水栓においても同様の問題が内在している。
【先行技術文献】
【特許文献】
【００１２】
【特許文献１】特開２０１０−１８５５６９号公報
【特許文献２】特許第３２００５４０号公報
【特許文献３】特開２００７−５１７５７号公報
【発明の概要】
【発明が解決しようとする課題】
【００１３】
本発明は以上のような事情を背景とし、止水時には確実にレバーハンドルを水のみ吐水する回動操作位置に位置させることで、使用者が無意識にレバーハンドルを開操作したときに使用者の意に反して湯が吐水されてしまうことを確実に防止でき、節湯を図ることのできるシングルレバー混合水栓を提供することを目的としてなされたものである。
【課題を解決するための手段】
【００１４】
而して請求項１のものは、混合弁を内蔵した水栓本体部とレバーハンドルとを備え、該水栓本体部の軸線方向において該レバーハンドルを該水栓本体部の基端から離れる方向の開方向に操作することにより吐水開始及び吐水流量の増大を、前記水栓本体部の基端に向う方向の閉方向に操作することにより吐水流量の減少及び止水を行い、また前記軸線回りに回動操作することにより吐水の温度調節を行うシングルレバー混合水栓において、(ａ)前記水栓本体部と前記レバーハンドルの基部の内側との一方に設けられ、湯側から水側に前記軸線方向の高さを徐々に低くして、前記レバーハンドルを湯のみ吐水する回動操作位置から水のみ吐水する回動操作位置に向けて且つ閉方向にガイドするガイド面と、(ｂ)他方に設けられ、該ガイド面に対して前記軸線方向に当接する当接部と、を有し、前記レバーハンドルの閉方向の操作で、該レバーハンドル側の当接部又はガイド面を、前記水栓本体部側のガイド面又は当接部に対して該レバーハンドルの閉方向に当て、引き続く該レバーハンドルの閉方向の操作で該当接部を該ガイド面に沿って相対移動させることで、該レバーハンドルを前記水のみ吐水する回動操作位置に且つ止水位置に到らしめるガイド機構を設けたことを特徴とする。
【００１５】
請求項２のものは、請求項１において、前記当接部には転動体が設けてあり、該転動体を転動させながら前記当接部が前記ガイド面に沿って移動するようになしてあることを特徴とする。
【００１６】
請求項３のものは、請求項１，２の何れかにおいて、前記当接部が前記レバーハンドルにおける前記基部の内側に、前記ガイド面が、湯側から水側に向けて高さが徐々に低くなり、前記レバーハンドルにおける前記水のみ吐水する回動操作位置に対応する位置で最も低くなる形状で前記水栓本体部の上部の位置に設けてあることを特徴とする。
【００１７】
請求項４のものは、請求項１〜３の何れかにおいて、前記水栓本体部側のガイド面又は当接部が、該水栓本体部の本体ボデーに組み付けられた化粧カバーに設けられており、該化粧カバーが、該本体ボデーに対して位置決め機構により前記軸線回りに位置決めされていることを特徴とする。
【発明の作用・効果】
【００１８】
以上のように本発明のシングルレバー混合水栓は、水栓本体とレバーハンドルの基部との一方に設けたガイド面と、他方に設けた当接部とを有するガイド機構を設け、そのガイド機構により、レバーハンドルの閉方向の操作でレバーハンドルを水のみ吐水する回動操作位置に移動ガイドし、且つ水のみ吐水する回動操作位置でレバーハンドルを止水位置に到らしめるようになしたものである。
【００１９】
かかる本発明のシングルレバー混合水栓では、使用者が混合水や高温の湯のみを吐水する状態、つまり湯吐水状態で水栓（シングルレバー混合水栓）を使用し、その後レバーハンドルを閉操作したとき、ガイド機構のガイド作用でレバーハンドルが自然に水のみ吐水する回動操作位置に移動せしめられ、そしてその水のみ吐水する回動操作位置で止水位置に到らしめられる。
【００２０】
従って本発明のシングルレバー混合水栓では、その後において次の使用者が水栓を使うべく、止水位置にあるレバーハンドルをそのまま開操作すると水のみが吐水され、使用者の意思に拘り無く湯が吐水されてしまって、湯が無駄に消費されてしまうのを確実に防ぐことができ、節湯を図ることができる。
【００２１】
本発明のシングルレバー混合水栓では、当接部をガイド面に当てるように使用者が意識してレバーハンドルを操作しなくても、開操作位置にあるレバーハンドルを閉方向に操作すれば、自動的に当接部がガイド面に当ってガイド機構が働き、レバーハンドルが水のみ吐水する回動操作位置且つ止水位置に到る。従って水栓使用に際して最後にレバーハンドルを止水位置まで閉操作すれば、レバーハンドルは確実に水のみ吐水する回動操作位置に位置せしめられる。
【００２２】
尚本発明では、レバーハンドルが湯吐水する回動操作位置にある状態の下では、同位置を維持したままレバーハンドルを止水位置まで移動させることはできない。
ここで湯吐水する回動操作位置とは、湯のみ吐水する回動操作位置及び混合水吐水する回動操作位置を含む。
【００２３】
従って湯吐水状態でレバーハンドルを一杯まで（当接部がガイド面に当るまで）閉方向に操作したとしても、吐水口からの吐水は停止しない。
そのことによって、使用者に対しレバーハンドルを止水位置である水のみ吐水する回動操作位置まで回動させるべく誘導することができる。
【００２４】
本発明では、上記当接部に転動体を設け、その転動体を転動させながら当接部をガイド面に沿って移動させるようになしておくことができる（請求項２）。
このようにしておけば、レバーハンドルを閉操作したときに当接部をガイド面に沿って抵抗無く円滑に移動させることができ、レバーハンドルの閉操作時に、より確実にレバーハンドルを水のみ吐水する回動操作位置且つ止水位置に戻すことができる。
【００２５】
本発明では、レバーハンドルにおける基部の内側に上記のガイド面を、また水栓本体の上部の位置に当接部を設けておくといったことも可能であるが、請求項３に従って当接部をレバーハンドルにおける基部の内側に、ガイド面を水栓本体の上部の位置に設けておくことが望ましい。
【００２６】
前者の場合即ちレバーハンドルの基部の内側にガイド面を設けるようになした場合、基部の周壁部の肉厚が必然的に厚くなり、そのことによって基部即ちレバーハンドルが大型化してしまう。
しかるにレバーハンドルの基部の側に当接部を、水栓本体の上部の側にガイド面を設けておけば、基部が大型化し、ひいてはレバーハンドルが大型化してしまうのを防ぐことができる。
【００２７】
本発明では、水栓本体側のガイド面又は当接部を、水栓本体の本体ボデーに組み付けられた化粧カバーに設けておくことができる。
この場合において、その化粧カバーは本体ボデーに対して位置決め機構により水栓本体部の軸線回りに位置決めしておく（請求項４）。
【００２８】
このようにすることで、化粧カバーにガイド面又は当接部を設けた場合において、レバーハンドルとともに化粧カバーが水栓本体部の本体ボデーに対し回転してしまい、ガイド機構がレバーハンドルを水のみ吐水する回動操作位置且つ止水位置に良好に移動ガイドできなくなってしまうといったことを防ぐことができる。
【図面の簡単な説明】
【００２９】
【図１】本発明の一実施形態のシングルレバー混合水栓を示した図である。
【図２】図１のシングルレバー混合水栓の分解斜視図である。
【図３】同実施形態におけるレバーハンドルの図である。
【図４】同実施形態の作用説明図である。
【図５】本発明の他の実施形態を示した図である。
【図６】本発明の更に他の実施形態の要部を模式的に示した図である。
【発明を実施するための形態】
【００３０】
次に本発明の実施形態を図面に基づいて詳しく説明する。
図１において、１０は本実施形態のシングルレバー混合水栓（以下単に水栓とする）で、取付面１４上に起立状態に即ち上下方向に向けて縦向きに設けられた水栓本体部１２、及び水栓本体部１２の上側に配置されたレバーハンドル１６を有している。
ここでレバーハンドル１６は基部１８と、これから延び出したレバー部２０とを一体に有している。
【００３１】
２２は、水栓本体部１２における本体ボデーで、この本体ボデー２２は、ハウジングを形成する円筒状の外部材２２-１と、その内側の内部材２２-２とを有している。
２４は外部材２２-１の一部をなす回転部で、この回転部２４から吐水管２６が延び出しており、吐水管２６が回転部２４と一体に回転するようになっている。
内部材２２-２は、底部２８と、上部をなす円筒状のカートリッジ保持部３０を一体に有しており、そのカートリッジ保持部３０の内部に、固定ディスクと可動ディスクから成る混合弁をカートリッジケース３２の内側に内蔵した弁カートリッジ３４が組み付けられ、保持されている。
【００３２】
内部材２２-２の底部２８には水，湯を弁カートリッジ３４の水流入口，湯流入口にそれぞれ流入させる流入通路３６が設けられている。
流入通路３６を通じて弁カートリッジ３４内部に流入した水と湯とは混合弁にて混合され、図示を省略する流出口から水室３８へと流出する。
水室３８に流出した混合水（又は水，湯）は、回転部２４に設けられた通孔４０を通じて吐水管２６内部に流入し、更にその先端の吐水口から外部に吐水される。
【００３３】
４２は、本体ボデー２２における内部材２２-２の円筒状のカートリッジ保持部３０にねじ込まれて、カートリッジケース３４を下向きに固定し抜止めする固定ナットで、４４は本体ボデー２２に組み付けられて固定ナット４２を外側から覆う化粧カバーとしての化粧キャップである。
この化粧キャップ４４は水栓本体部１２の上部を構成している。
４６はレバー軸で、このレバー軸４６は、レバーハンドル１６における基部１８の内側に設けられた固定部４８に固定ビス５０にてレバーハンドル１６と一体移動する状態に固定されている。
【００３４】
この例の水栓１０では、レバーハンドル１６を開方向の上向き（水栓本体部１２の軸線方向において水栓本体部１２の基端から離れる方向）に操作すると、レバー軸４６を介して混合弁が開動作せしめられ、吐水口から吐水開始される。
また開方向の操作量を多くすると吐水口からの吐水流量が増大する。
【００３５】
逆にレバーハンドル１６を図１中閉方向の下向き（水栓本体部１２の基端に向う方向）に操作すると、吐水流量が減少し、そしてレバーハンドル１６を閉方向の下向きに一杯まで操作すると、吐水口からの吐水が停止する。即ち止水する。
但しこの実施形態では、レバーハンドル１６を水のみ吐水する左右方向位置（水栓本体部１２の軸線回りの回動操作位置）に位置させたときに初めて止水が可能となる。この点については後に詳しく説明する。
【００３６】
一方レバーハンドル１６を、使用者から見て水栓本体部１２の軸線回りの左右方向（図１中紙面と直角方向）に回動操作すると、吐水の温度が高温側に又は低温側に調節される。
具体的にはここではレバーハンドル１６を使用者から見て左方向に回動操作すると吐水が高温側に調節され、逆にレバーハンドル１６を右方向に回動操作すると吐水の温度が低温側に調節される。
【００３７】
図２において、５２は化粧キャップ４４を水栓本体部１２の本体ボデー２２、具体的にはここでは内部材２２-２におけるカートリッジ保持部３０に対して左右方向（水栓本体部１２の軸線回り即ちレバーハンドル基部１８の左右回動方向）に位置決めするための位置決め部材で、この位置決め部材５２は、カートリッジ保持部３０に設けられた縦の係合溝５４内に上方から下向きに挿入されて、係合溝５４に対し左右の回転方向に係合せしめられている。
尚位置決め部材５２は、カートリッジ保持部３０の外周面のねじ部よりも下側位置まで係合溝５４内に下向きに挿入されている。
【００３８】
一方化粧キャップ４４には、内周面に係合凹部５６が設けられており、この係合凹部５６に対して、位置決め部材５２の突出形状の係合凸部５８が左右方向に係合せしめられている。
そしてこの位置決め部材５２を介して、化粧キャップ４４がカートリッジ保持部３０に対して即ち本体ボデー２２に対して、左右の回転方向に位置決めされている。
この実施形態では、これら位置決め部材５２，係合溝５４，係合凹部５６等にて位置決め機構が構成されている。
【００３９】
図２に示しているように化粧キャップ４４の外周面には、湯側から水側に向って図中右方向に（使用者から見て右方向）に高さが徐々に低くなり、レバーハンドル１６における水のみ吐水する左右方向位置（回動操作位置）に対応した位置で高さが最も低くなるガイド面６０が設けられている。
ここでガイド面６０は上向きの面をなしており、その左端が化粧キャップ４４の上端に位置している。
またこのガイド面６０は、図４に示しているように正面視において右下りとなる傾斜面をなしている。
そしてこのガイド面６０に続いてレバーハンドル１６の右方向の回動端を規定する縦向きのストッパ面６２が化粧キャップ４４に設けられている。
ここでガイド面６０は、レバーハンドル１６の左右方向の全回動範囲に亘って設けられている。
【００４０】
一方、図３に示しているようにレバーハンドル１６の円形の基部１８の内面には、上記のガイド面６０に対応する位置において、縦のリブ状の突条６４が一体に設けられており、この突条６４の下端部がガイド面６０に当接する当接部６６とされている。
ここで当接部６６とガイド面６０とは、当接部６６が常にガイド面６０よりも上側に、詳しくは左右方向の同一位置において当接部６６がガイド面６０よりも上側に位置するように設けられている。
【００４１】
本実施形態において、レバーハンドル１６に設けられた突条６４及びその下端の当接部６６，化粧キャップ４４に設けられたガイド面６０は、レバーハンドル１６を移動ガイドするガイド機構６８（図１参照）を構成している。
本実施形態の水栓１０では、レバーハンドル１６が開操作位置にあるとき、図４（Ａ）に示しているようにレバーハンドル１６の当接部６６は、化粧キャップ４４のガイド面６０から離隔した上方に位置している。
この状態でレバーハンドル１６を閉方向の下向きに操作すると、あるところで当接部６６がガイド面６０に対し下向きに当接するに到る。
【００４２】
引き続いてレバーハンドル１６に対し閉方向の力、即ち下向きの力を加えると、当接部６６がガイド面６０に沿って図中右方向に相対移動し、これとともにレバーハンドル１６が湯側から水側へと図中右方向に回動せしめられ、同時に閉方向の下向きに移動せしめられる。
【００４３】
そしてレバーハンドル１６側の突条６４が化粧キャップ４４のストッパ面６２に当る位置までレバーハンドル１６が右方向に回動したところで、当接部６６がガイド面６０の図中右端の位置即ち最も高さの低い位置に到り、ここにおいてレバーハンドル１６が止水位置に到らしめられる。
ガイド面６０及び当接部６６の形状及び位置が予めそのように定められている。
このときレバーハンドル１６は、水のみ吐水する左右方向位置に位置した状態となり、従ってその後水栓使用するために使用者がレバーハンドル１６を止水位置即ち閉位置から上向きに開操作すると、湯を含まない水のみが吐水口から吐水される。
【００４４】
尚本実施形態において、当接部６６がガイド面６０の図中右端の位置即ち最も高さの低い位置に当接した状態で、レバーハンドル１６が水のみ吐水する左右方向位置且つ止水位置に到るが、当接部６６がガイド面６０の他の部位に当接した状態の下では、レバーハンドル１６は止水位置には到っておらず、従ってこのときには吐水口から僅かな量で水が流出する。
【００４５】
通常使用者は水栓使用後においては水を完全に止めようとするため、当接部６６がガイド面６０に当ってそこで急激に抵抗が大きくなることで、一旦レバーハンドル１６の閉操作を止めたとしても、吐水口から水が僅かに流出していると、そのことに気付いて使用者は水の流出を完全に止めようとしてレバーハンドル１６を更に下向きに操作しようとする。
その結果レバーハンドル１６はガイド機構６８のガイド作用で、完全止水位置である水のみ吐水する左右方向位置まで図中右方向に回動せしめられることとなる。
【００４６】
以上のように本実施形態の水栓１０では、使用者が混合水や高温の湯のみを吐水する状態、つまり湯吐水状態で水栓１０を使用し、その後レバーハンドル１６を閉操作したとき、ガイド機構６８のガイド作用でレバーハンドル１６が自然に水のみ吐水する左右方向位置に移動せしめられるとともに止水位置に到らしめられる。
【００４７】
従って本実施形態の水栓１０では、その後において次の使用者が水栓１０を使うべく、止水位置にあるレバーハンドル１６をそのまま上方に開操作すると水のみが吐水され、使用者の意思に拘り無く湯が吐水されてしまって、湯が無駄に消費されてしまうのを防ぐことができ、節湯を図ることができる。
【００４８】
また本実施形態の水栓１０では、当接部６６をガイド面６０に当てるように使用者が意識してレバーハンドル１６を操作しなくても、開操作位置にあるレバーハンドル１６を下向きに閉操作すれば、自動的に当接部６６がガイド面６０に当ってガイド機構６８が働き、レバーハンドル１６が水のみ吐水する左右方向位置且つ止水位置に到る。従って水栓使用に際して最後にレバーハンドル１６を止水位置まで閉操作すれば、レバーハンドル１６は確実に水のみ吐水する左右方向位置に位置せしめられる。
【００４９】
本実施形態はまた、レバーハンドル１６の基部１８に当接部６６を、水栓本体部１２の上部の化粧キャップ４４にガイド面６０を設けているため、基部１８が大型化し、ひいてはレバーハンドル１６が大型化してしまうのを防ぐことができる。
また化粧キャップ４４は本体ボデー２２に対して位置決め機構により左右方向に位置決めしてあるため、レバーハンドル１６とともに化粧キャップ４４が水栓本体部１２の本体ボデー２２に対し回転してしまい、ガイド機構６８によってレバーハンドル１６を水のみ吐水する左右方向位置且つ止水方向位置に良好に移動ガイドできなくなってしまうといったことを防ぐことができる。
【００５０】
図５は本発明の他の実施形態を示している。
この例は、レバーハンドル１６側の当接部６６にローラ（転動体）７０を設けたもので、この実施形態によれば、ローラ７０の転動によって当接部６６をガイド面６０に沿って僅かな力で円滑に抵抗少なく移動させることができる。
これによりレバーハンドル１６の閉操作時に、より確実にレバーハンドル１６を水のみ吐水する左右方向位置且つ止水位置に戻すことができる。
【００５１】
図６は本発明の更に他の実施形態を示している。
この例は、レバーハンドル１６側にガイド面６０を、また化粧キャップ４４の側に、ガイド面６０に対して上向きに当接する当接部６６を設けた例である。
この図６に示す例においても、開操作位置にあるレバーハンドル１６を閉方向の下向きに操作することで、ガイド機構６８のガイド作用により、レバーハンドル１６を水のみ吐水する左右方向位置且つ止水位置に到らしめることができる。
【００５２】
以上本発明の実施形態を詳述したがこれはあくまで一例示である。
例えば本発明では上記ガイド面を連続した面をなす傾斜面となしているが、湯側から水側に向って漸次高さを低くする傾斜面以外の面となすこともできるし、場合によってこれを階段状の面となすことも可能である。
更に当接部をガイド面と同様に連続的に傾斜した面として構成することも可能である。
また本発明は水栓本体部の全体を覆うように化粧カバーが設けられているシングルレバー混合水栓、或いは水栓本体部をその軸線方向が横向き即ち水平ないし略水平向きとなるように設置するシングルレバー混合水栓に適用することも可能である等、本発明はその趣旨を逸脱しない範囲において種々変更を加えた形態で構成可能である。
【符号の説明】
【００５３】
１０  シングルレバー混合水栓
１２  水栓本体部
１６  レバーハンドル
１８  基部
２２  本体ボデー
４４  化粧キャップ
６０  ガイド面
６６  当接部
６８  ガイド機構
７０  ローラ（転動体）
【図１】
0005853282.tif 000002
【図２】
0005853282.tif 000003
【図３】
0005853282.tif 000004
【図４】
0005853282.tif 000005
【図５】
0005853282.tif 000006
【図６】
0005853282.tif 000007